(57)【要約】      （修正有）【課題】ソックスのずれ動きを規制して大きな踏ん張り力を発揮でき、さらに外反母趾の改善や予防にも役立つ、鼻緒構造を備えたソックスを提供する。【解決手段】袋状の足甲部１と筒状の足首部２とを備えており、足甲部１の足表生地４と足裏生地５とを一体化して、拇趾と第２趾との間の指股を受止める鼻緒部１０が形成してあるソックスを対象とする。鼻緒部１０は、足甲部１の幅方向の中央部で、つま先６から遊び隙間の分だけ離れた位置において、足表生地４と足裏生地５とをジグザグに縫着して形成する。得られた鼻緒部１０は、足表生地４と足裏生地５とを接合する縫着跡１２と、縫着跡１２の周囲を無端状に囲む生地部分とで構成される。【選択図】図２
0003171087.tif 000002
【実用新案登録請求の範囲】
【請求項１】
袋状の足甲部（１）と筒状の足首部（２）とを備えており、足甲部（１）の足表生地（４）と足裏生地（５）とを一体化して、拇趾と第２趾との間の指股を受止める鼻緒部（１０）が形成してあるソックスであって、
鼻緒部（１０）が、足甲部（１）の幅方向の中央部で、つま先（６）から遊び隙間（１１）の分だけ離れた位置に形成してあることを特徴とするソックス。
【請求項２】
鼻緒部（１０）が、足甲部（１）の足表生地（４）と足裏生地（５）とを縫着して形成されており、
足表生地（４）と足裏生地（５）とを接合する縫着跡（１２）と、縫着跡（１２）の周囲を無端状に囲む生地部分（１３）とで鼻緒部（１０）が構成してある請求項１に記載のソックス。
【請求項３】
鼻緒部（１０）を構成する縫着跡（１２）が、足表生地（４）と足裏生地（５）とをジグザグに縫着して形成してある請求項２に記載のソックス。
【請求項４】
鼻緒部（１０）を構成する縫着跡（１２）が、足表生地（４）と足裏生地（５）とを逢着する複数の縫着列で形成してある請求項２に記載のソックス。
【請求項５】
足表生地（４）と足裏生地（５）の少なくともいずれか一方の縫着部位に、補強シート１５を配置した状態で縫着して鼻緒部１０が形成してある請求項２から４のいずれかひとつに記載のソックス。
【請求項６】
足甲部（１）の全体が熱可塑性の合成繊維製の糸を編組して形成されており、
鼻緒部（１０）が足表生地（４）と足裏生地（５）とを熱溶着して形成してある請求項１に記載のソックス。
【請求項７】
少なくとも足甲部（１）の内面側が、パイル編みされてクッション性を発揮できるトレッキング用あるいは登山用のソックスからなる請求項１から６のいずれかひとつに記載のソックス。
【考案の詳細な説明】
【技術分野】
【０００１】
本考案は、鼻緒構造を備えているソックスに関する。
【背景技術】
【０００２】
鼻緒構造を備えているソックス類の代表例として、足甲部が先割れ状に形成してある足袋がある。また、拇趾の挿入部と、第２趾から第５趾間での足指の挿入部とを足甲部に形成した、足袋と同様の構造をしたソックスや、５本指構造のソックスなどが市販されている。この種の足袋状体は、拇趾と第２趾との付け根が各挿入部を区分する鼻緒部で受止められるため、前方へのずれ動きを防止でき、さらに、各足指を踏ん張りやすいなどの鼻緒効果を発揮できるとされている。また、足袋状体を装着した状態において、拇趾が外側方へ押し広げられるため、外反母趾の改善にも効果があるとされている。
【０００３】
本考案においては、拇趾と第２趾との間の指股を受止める鼻緒部をソックスに形成するが、この種のソックス類は例えば特許文献１に公知である。そこでは、パンティストッキングのつま先部分から踵側へ向かって縫目を形成して鼻緒部としている。また、特許文献２の足コンディショニングウエアにおいては、袋状の足甲部と筒状の足首部とを備えたソックスにおいて、足甲部のつま先寄りの足表生地と足裏生地とを縫着して、各足指の指股を受止める指間係止部（鼻緒構造）を足甲部の４個所に形成している。
【先行技術文献】
【特許文献】
【０００４】
【特許文献１】特開２００６−３２８６２１号公報（段落番号０００７、図１）
【特許文献２】特開２００６−３４８４０６号公報（段落番号００２５、図１）
【考案の概要】
【考案が解決しようとする課題】
【０００５】
特許文献１のパンティストッキングによれば、拇趾と第２趾との間の指股を鼻緒部で受止めることができるので、ストッキングの製造時につま先に沿って形成された縫目が、各足指の指先を圧迫する不快感を解消できる。しかし、鼻緒部が足甲部のつま先から踵側へ向かって連続して形成してあるため、拇趾および第２趾の横方向への動きが鼻緒部によって拘束され、とくに拇趾に対して窮屈な感じを与えやすい。その点、特許文献２のソックスにおいては、４個所の鼻緒構造を足甲部のつま先から離れた位置に形成するので、各足指の横方向への動きを許すことができる。また、鼻緒構造を設けることでソックスのずれ動きを規制して、大きな踏ん張り力を発揮できる。しかし、５本の足指のそれぞれを、鼻緒構造で区分された指挿入部に挿入する必要があるので、ソックスの着脱に手間がかかる。さらに、各足指が隣接する鼻緒部に挟まれるため使用時に窮屈感を生じやすい。
【０００６】
本考案の目的は、ソックスのずれ動きを規制して大きな踏ん張り力を発揮でき、さらに外反母趾の改善や予防にも役立つ、鼻緒構造を備えたソックスを提供することにある。
本考案の目的は、ソックスの着脱を通常のソックスと同様に迅速に行なえ、しかも使用時に窮屈感を生じることがない、鼻緒構造を備えたソックスを提供することにある。
本考案の目的は、鼻緒構造を備えていながらソックスを左右で共用でき、しかも鼻緒構造を低コストで形成でき、鼻緒構造を備えたソックスをより少ないコストで提供することにある。
本考案の目的は、歩きやすくて大きな踏ん張り力を発揮でき、とくにトレッキング用のソックス、あるいは登山用のソックスとして使用するのに好適なソックスを提供することにある。
【課題を解決するための手段】
【０００７】
本考案は、袋状の足甲部１と筒状の足首部２とを備えており、足甲部１の足表生地４と足裏生地５とを一体化して、拇趾と第２趾との間の指股を受止める鼻緒部１０が形成してあるソックスを対象とする。鼻緒部１０は、足甲部１の幅方向の中央部で、つま先６から遊び隙間１１の分だけ離れた位置に形成してあることを特徴とする。
【０００８】
鼻緒部１０は、足甲部１の足表生地４と足裏生地５とを縫着して形成する。詳しくは、足表生地４と足裏生地５とを接合する縫着跡１２と、縫着跡１２の周囲を無端状に囲む生地部分１３とで鼻緒部１０を構成する。
【０００９】
鼻緒部１０を構成する縫着跡１２は、足表生地４と足裏生地５とをジグザグに縫着して形成する。
【００１０】
鼻緒部１０を構成する縫着跡１２は、足表生地４と足裏生地５とを逢着する複数の縫着列で形成することができる。
【００１１】
足表生地４と足裏生地５の少なくともいずれか一方の縫着部位に、補強シート１５を配置した状態で縫着して鼻緒部１０を形成することができる。
【００１２】
足甲部１の全体が熱可塑性の合成繊維製の糸を編組して形成してある場合には、鼻緒部１０を足表生地４と足裏生地５とを熱溶着して形成することができる。
【００１３】
上記の構成のソックスは、少なくとも足甲部１の内面側が、パイル編みされてクッション性を発揮できるトレッキング用あるいは登山用のソックスとして構成することができる。
【考案の効果】
【００１４】
本考案においては、ソックスの足甲部１の足表生地４と足裏生地５とを、例えば縫着することにより一体化して鼻緒部１０を構成した。また、鼻緒部１０は、足甲部１の幅方向の中央部で、つま先６から遊び隙間１１の分だけ離れた位置に形成するようにした。このように、足甲部１のつま先６寄りに鼻緒部１０を設けたソックスによれば、ソックスを履いた状態において、鼻緒部１０が拇趾と第２趾との間の指股で捕捉されるので、ソックスのずれ動きを規制して大きな踏ん張り力を発揮できる。また、ソックスを装着した状態では、拇趾が鼻緒部１０で第２趾から離れる向きへ押し広げられるので、外反母趾の改善にも効果がある。さらに、足甲部１の中央の１個所に限って鼻緒部１０を設けるので、ソックスを左右で共用することができ、従来の足袋と同等構造のソックスに比べて、鼻緒構造を備えたソックスをより少ないコストで製造し、安価に提供することができる。使用時には、通常のソックスと同様にソックスの着脱を迅速に行なうことができ、さらに遊び隙間１１に臨む拇趾および第２趾を横方向へ動かすことができるので、拇趾および第２趾に窮屈感を与えることもない。
【００１５】
足表生地４と足裏生地５とを縫着して、両生地４・５の縫着跡１２と、縫着跡１２の周囲を無端状に囲む生地部分１３とで鼻緒部１０を構成すると、拇趾と第２趾の間の指股を生地部分１３で受止めることができる。従って、拇趾と第２趾の間の指股と鼻緒部１０との接触を柔らかなものとして、ソックスの使用感を向上できる。また、足表生地４と足裏生地５とを単に縫着するだけで鼻緒部１０を形成できるので、鼻緒構造を備えたソックスをより低コストで製造し安価に提供できる。
【００１６】
足表生地４と足裏生地５とをジグザグに縫着して縫着跡１２を形成すると、より少ない手間で所定の幅寸法の縫着跡１２を簡便に形成できるうえ、鼻緒部１０の構造的な強度を向上できる。
【００１７】
足表生地４と足裏生地５とを逢着する複数の縫着列で縫着跡１２を形成すると、足表生地４と足裏生地５の生地厚みが薄い場合であっても、充分な強度を備えた鼻緒部１０を形成することができる。
【００１８】
足表生地４と足裏生地５の少なくともいずれか一方の縫着部位に、補強シート１５を配置した状態で縫着して鼻緒部１０を形成すると、各生地４・５や各生地４・５を構成する糸に大きな力が作用して破損するのを防止できる。従って、鼻緒部１０の強度を向上して、長期にわたって鼻緒構造を維持し続けることができる。
【００１９】
足甲部１の全体が熱可塑性の合成繊維製の糸を編組して形成してあるソックスにおいては、鼻緒部１０を足表生地４と足裏生地５とを熱溶着して形成できるので、鼻緒部１０をさらに低コストで形成して、ソックスをさらに安価に提供できる。
【図面の簡単な説明】
【００２０】
【図１】本考案に係るソックスの要部のみの平面図である。
【図２】本考案に係るソックスの斜視図である。
【図３】本考案に係るソックスの鼻緒構造を示す横断平面図である。
【図４】図３におけるＡ−Ａ線断面図である。
【図５】本考案に係るソックスの使用状態を示す横断平面図である。
【図６】本考案に係る鼻緒構造の別の実施例を示す要部のみの平面図である。
【考案を実施するための形態】
【００２１】
（実施例）  図１ないし図５は、本考案をトレッキング用あるいは登山用のソックスに適用した実施例を示す。図２においてソックスは、袋状の足甲部１と筒状の足首部２とを備えており、全体がウール糸を編立てて構成してある。足甲部１の内面と、足首部２の後半側内面は、それぞれクッション性を発揮できるようにパイル編みされている。また、足首部２の上端の履口３は、ずれ落ち防止のためにゴム編みされている。足甲部１は、筒状に連続する足表生地４と足裏生地５とで構成されており、足表生地４のつま先６寄りの部分は内面側で縫着されて閉じてある。この縫着線を符号７で示す。
【００２２】
上記のソックスに鼻緒効果を発揮させるために、足甲部１の足表生地４と足裏生地５とをミシンで縫着して、拇趾と第２趾との間の指股を受止める鼻緒部１０を形成している。図１および図３に示すように鼻緒部１０は、足甲部１の幅方向の中央部で、つま先６から遊び隙間１１の分だけ離れた位置に形成する。
【００２３】
図３および図４に示すように、鼻緒部１０は、足表生地４と足裏生地５とを縫合する縫着跡１２と、縫着跡１２の周囲を無端状に囲む生地部分１３とで構成する。この実施例では足表生地４と足裏生地５とをジグザグに縫着して、左右幅が３〜５ｍｍ、前後長が１０ｍｍのジグザグの縫い目で縫着跡１２を形成した。遊び隙間１１はソックスのサイズの違いに応じて異なっており、例えば、ソックスのサイズが２５〜２７ｃｍ用であるときの遊び隙間１１は３ｃｍとし、ソックスのサイズが２３〜２４ｃｍ用であるときの遊び隙間１１は２．５ｃｍとする。このように、鼻緒部１０とつま先との間に遊び隙間１１を設けると、縫着跡１２は縫着線７を前後に横切るように形成される（図１参照）。以上のように、遊び隙間１１を設けることにより、拇趾および第２趾の指先を横方向へ動かすことができるので、ソックスを履いた状態において拇趾および第２趾において窮屈感を生じることはない。
【００２４】
先に説明したように、ソックスを履く前の鼻緒部１０は足甲部１の幅方向の中央部に形成してあり、図１に示すように鼻緒部１０の中心から足甲部１の側縁までの距離Ｂは左右で等しい。このように、足甲部１の中央に鼻緒部１０を形成すると、鼻緒構造を供えているソックスでありながら、左足と右足とでソックスを履き分ける必要がなく、左右共用とすることができる。ソックスを使用するときは、図５に示すように、鼻緒部１０が拇趾と第２趾との間の指股に入込む状態でソックスを履く。ソックスを履いてしまうと、足表生地４の拇趾側の側縁が足裏側へ引き込まれ、足裏生地５の第５趾側の側縁が足表側へ引き込まれる。そのため、鼻緒部１０が足甲部１の幅方向の中央部に設けてあるにも拘らず、拇趾の周囲に余分な空間が生じることはなく、足表生地４および足裏生地５のそれぞれを、足全体になじませて違和感のない履き心地が得られる。従って、足や足指の形などに個人差があっても、問題なくソックスをフィットさせることができる。
【００２５】
ソックスを履いた状態では、鼻緒部１０が拇趾と第２趾との間の指股で捕捉される。そのため、ソックスのずれ動きを規制して大きな踏ん張り力を発揮でき、とくにトレッキングや登山において安定した状態の力強い歩行動作を行える。また、ソックスを装着した状態において、拇趾が鼻緒部１０で第２趾から離れる向きへ押し広げられるため、外反母趾の改善にも効果がある。さらに、足甲部１の中央の１個所に限って鼻緒部１０を設けるだけであるので、ソックスの着脱を迅速に行なえ、使用者に窮屈感をあたえることもない。ソックスに縫着加工を施すだけで鼻緒構造を低コストで形成でき、しかも、ソックスを左右で共用するので、従来の足袋と同様の構造をしたソックスに比べて、鼻緒構造を備えたソックスをより少ないコストで製造し、安価に提供することができる。
【００２６】
図６は、鼻緒部１０の別の実施例を示す。そこでは、足表生地４と足裏生地５の外面に補強用の四角形の布生地（補強シート）１５をあてがっておき、足表生地４および足裏生地５と布生地１５を同時に縫着して鼻緒部１０を形成した。このように布生地１５をあてがって足表生地４と足裏生地５を逢着すると、各生地４・５や各生地４・５を構成する糸に大きな力が作用して破損するのを防止できるので、鼻緒部１０の構造を長期にわたって維持し続けることができる。布生地１５は、ハート形、花形、円形、楕円形など任意の形状に形成することができる。布生地１５は、足表生地４と足裏生地５の少なくともいずれか一方の縫着部位に配置した状態で縫着することができ、必要があれば両生地４・５の間に配置してもよい。
【００２７】
上記の実施例では、縫着跡１２をジグザグの縫目で形成したが、その必要はなく、例えばソックスの生地厚みが薄いような場合には、足表生地４と足裏生地５とを逢着する２ないし４列の縫着列で縫着跡１２を形成することができる。また、縫着線７と略直交する前後方向の複数の縫着列と、縫着線７と略平行なジグザグの縫目とを重ねて、縫着跡１２をより頑丈に形成することができる。補強シート１５は、布生地に換えてプラスチックシートや薄い皮で形成することができる。鼻緒部１０はミシンで簡単に形成できるが、手縫いで形成してもよい。
【００２８】
足甲部１の全体が熱可塑性の合成繊維製の糸を編組して形成してある場合には、足表生地４と足裏生地５とを熱溶着して鼻緒部１０を形成することができるので、鼻緒部１０をさらに低コストで形成して、ソックスをさらに安価に提供できる。
【００２９】
本考案は、トレッキング用のソックス、あるいは登山用のソックス以外に、各種のスポーツ用のソックス、作業用のソックス、さらには日常的に使用される一般的なソックスにも適用できる。また、ソックスの長さは膝下と膝上のいずれであってもよく、ストッキング、あるいはパンティストッキングにも適用できる。
【符号の説明】
【００３０】
１  足甲部
２  足首部
４  足表生地
５  足裏生地
６  つま先
７  縫着線
１０  鼻緒部
１１  遊び隙間
１２  縫着跡
１３  生地部分
１５  補強シート（布生地）
【図１】
0003171087.tif 000003
【図２】
0003171087.tif 000004
【図３】
0003171087.tif 000005
【図４】
0003171087.tif 000006
【図５】
0003171087.tif 000007
【図６】
0003171087.tif 000008